(57)【要約】【課題】円錐形ローラへ弾性糸の挿入量を調節して供給するとともに度目調整装置によって編目を調節することにより、両面針床編機によって５本指ハイソックス等を編成して足の疲労回復を早めるようにした５本指ハイソックス等を提供する。【解決手段】表糸と弾性糸とを供給して一対の対向して配置された針床と該針床上に設けられた編針と前記針床上を往復動可能に設けられたキャリッジを有する横編機により編成された５本指ハイソックスにおいて、キャリッジ側方に設けた弾性糸受け台から弾性糸を供給し、キャリッジの往復運動に応じて一対の円錐形ローラに対する位置が可変である弾性糸供給側と弾性糸送り出し側の可動ガイドを介して一対の円錐形ローラへ弾性糸の供給量を任意に調節して供給することによって所定の着圧を得るとともに度目調整装置によって表糸の編目を調節することにより編成された５本指ハイソックスとその編成方法を構成するものである。【選択図】図４
2007039814.tif 000002
【特許請求の範囲】
【請求項１】
表糸と弾性糸とを供給して一対の対向して配置された針床と該針床上に設けられた編針と前記針床上を往復動可能に設けられたキャリッジを有する横編機により編成された５本指ハイソックスにおいて、キャリッジ側方に設けた弾性糸受け台から弾性糸を供給し、キャリッジの往復運動に応じて一対の円錐形ローラに対する位置が可変である弾性糸供給側と弾性糸送り出し側の可動ガイドを介して一対の円錐形ローラへ弾性糸の供給量を任意に調節して供給することによって所定の着圧を得るとともに度目調整装置によって表糸の編目を調節することにより編成されたことを特徴とする５本指ハイソックス。
【請求項２】
表糸と弾性糸とを供給して一対の対向して配置された針床と該針床上に設けられた編針と前記針床上を往復動可能に設けられたキャリッジにより両面針床編機により５本指ハイソックス等を編成する編成方法において、キャリッジ側方に設けた弾性糸受け台から表糸と裏糸と弾性糸とを供給し、キャリッジの往復運動に応じて一対の円錐形ローラに対する位置が可変である弾性糸供給側と弾性糸送り出し側の可動ガイドを介して一対の円錐形ローラへ弾性糸の供給量を任意に調節して供給するとともに度目調整装置によって編目を調節することを特徴とする５本指ハイソックス等の編成方法。
【請求項３】
５本指ハイソックスに代えて足袋型ソックスを編成する請求項１に記載の足袋型ソックス。
【請求項４】
５本指ハイソックスに代えて親指を頂点として小指にしたがって短くなるソックスを編成する請求項１に記載のハイソックス。
【発明の詳細な説明】
【技術分野】
【０００１】
本発明は、５本指ハイソックス等とその編成方法に関するものである。
【背景技術】
【０００２】
長時間飛行機や乗り物に乗って足を動かさないでいると、血流が阻害されてエコノミークラス症候群になりやすい。また、長時間屋外で歩くゴルフや、野球、サッカー、ラグビー等のスポーツ用の靴下としては、ハイソックスは欠かすことの出来ないものとなっている。一方、脚部の足の浮腫（むくみ）や疲労は、血流やリンパ管の働きがスムーズに行われないのが起因している。しかし、一般のハイソックスは、ずり落ち防止の配慮がなされても、足首や膨ら脛（フクラハギ）などを着圧により、適度な圧力をかけ足の筋肉が、ポンプの作用をしているのを補助し、静脈血流やリンパ液の流れを促進させるというものとはなっていない。
【０００３】
血の巡りは、動脈を通って流れ、静脈を通って心臓に返される。そして心臓から一番離れた脚は、引力や重力の影響もあって、血液が溜りやすく、疲労や浮腫の原因になっている。従って、膨ら脛側の静脈血管に、適度の圧迫力による刺激を与えるように足を動かせば、血の流れがよくなり、疲労の回復も早まることが医学的な臨床実験の結果からも立証されている。そのため、下肢の静脈の血行を脚の外側から圧力をかけることにより改善する、医療用の弾性靴下として、各種の先行技術が提案されている。
【０００４】
例えば、特許文献１を始めとする特許文献２、特許文献３、特許文献４、特許文献５が既に開示されている。
【特許文献１】特公平７−９８０５３号公報
【特許文献２】特開平１１−７０１４０号公報
【特許文献３】特表２０００−５１２１７６号公報
【特許文献４】特開平１１−４７１８６号公報
【特許文献５】特開平１１−１３１３０３号公報
【０００５】
しかし、特許文献１〜５に記載された靴下は、レッグ部の前面の脛（スネ）側と後面の膨ら脛側のコ−ス方向で、同一の編成方法によって編成されているので、全体が強い締め付けをなしており、履きにくい割りには、膨ら脛側を加圧するという効果が有効ではない。その点、特許文献６と特許文献７に記載された靴下は、特に膨ら脛側だけに着圧が掛かるようにしている。
【特許文献６】特開２００２−１３００５号公報
【特許文献７】特開２００１−５５６０４号公報
【０００６】
特許文献６に開示された靴下は、本発明者の一人が開発に参画した技術であるが、編成の難しかしさがあった。また特許文献７に開示された靴下は、実際に着用してみるとレッグ部において脚に副わない点があり、何よりも脛側の編成が上から下まで同一なので、レッグ部の強く加圧したい下部が弱く、逆に上部が強くなっている。そして特許文献７に記載のものは、締め付け圧、着圧を調節するために、編目長を調節して行っている。また、ポリウレタン弾性糸は使用されているが、普通の編糸として編成されてあり、挿入糸としての締付組織にはなってないので、締付圧の非常に低いものに止まっている。
【０００７】
従来の横編機による着圧ハイソックスの編成においては、締め付け圧、着圧を調節するには、弾性糸の送り込み量が一定なので、挿入コースで圧力調整をしていた。例えば、毎コース、１コース毎、３コース毎、４コース毎に弾性糸を挿入し、挿入コースが多ければ締め付け圧が大きくなるようにして調節を行っていた。しかし、ソックスの各部分の着圧は所定の着圧を得ることはできなかった。
【０００８】
また、これらの特許文献に記載のものは、爪先に汗、湿気が溜りやすく、水虫になりやすい。また、下駄履きでも可能であれば、水虫にも効果があり、指先を独立して挿入する指袋部に分割した靴下が好ましい。
【０００９】
足の指を５本とも独立して編成した５本指ソックスでは、踵から着地して体重を移動し小指の付け根に力を加え、親指で蹴って歩くので、踏ん張りがきくことが知られている。
５本指靴下としては、下記に記載する先行技術も公知である。
【特許文献８】実用新案登録第３０４８２５６号公報  この靴下は、各部位を所定圧力で加圧したり、レッグ部の下部から上部へ着圧を段階的に減少させて総合的な静脈血流の流れを良くするようにし、この圧迫力による刺激で足の疲労回復を早めるようにしたものではない。
【００１０】
ここで、ハイソックスとは、膝下迄の長さを有する靴下である。したがって、膝の上まで長いオーバーニーソックス等に、本発明を応用することは可能であるので、これらの靴下や普通のソックス、足袋等も本発明のハイソックスに包含されるものである。
【発明の開示】
【発明が解決しようとする課題】
【００１１】
上記の事情に鑑み、本発明は、円錐形ローラへ弾性糸を調節して供給するとともに度目調整装置によって編目を調節することにより、横編機によって５本指ハイソックス等を編成して足の疲労回復を早めるようにしたことを課題としている。
【課題を解決するための手段】
【００１２】
本発明は上記目的を達成するために、表糸と弾性糸とを供給して一対の対向して配置された針床と該針床上に設けられた編針と前記針床上を往復動可能に設けられたキャリッジを有する横編機により編成された５本指ハイソックスにおいて、キャリッジ側方に設けた弾性糸受け台から弾性糸を供給し、キャリッジの往復運動に応じて一対の円錐形ローラに対する位置が可変である弾性糸供給側と弾性糸送り出し側の可動ガイドを介して一対の円錐形ローラへ弾性糸の供給量を任意に調節して供給することによって所定の着圧を得るとともに度目調整装置によって表糸の編目を調節することにより編成された５本指ハイソックス及び表糸と弾性糸とを供給して一対の対向して配置された針床と該針床上に設けられた編針と前記針床上を往復動可能に設けられたキャリッジを有する横編機により５本指ハイソックス等を編成する編成方法において、キャリッジ側方に設けた弾性糸受け台から表糸と弾性糸とを供給し、キャリッジの往復運動に応じて一対の円錐形ローラに対する位置が可変である弾性糸供給側と弾性糸送り出し側の可動ガイドを介して一対の円錐形ローラへ弾性糸の供給量を任意に調節して供給することによって所定の着圧を得るとともに度目調整装置によって表糸の編目を調節する５本指ハイソックス等の編成方法を構成するものである。
【発明の効果】
【００１３】
本発明の５本指ハイソックス等は、ソフトにして履きやすくし、各部の着圧は実用テストを繰り返して細かく設定し、心地良いものとしたので、フィット性や着用快感性に優れたものにすることができるとともに、各部位を所定圧力で加圧したり、レッグ部の下部から上部へ着圧を段階的に減少させて総合的な静脈血流の流れを良くするようにし、この圧迫力による刺激で足のむくみを防止し疲労回復を早めるようにすることができる。
【００１４】
本発明の横編機における５本指ハイソックス等の編成方法は、弾性糸の供給量を調節するとともに度目調整装置によって編目を調節することにより、締め付け圧を調節することができるので、足底の静脈血流の流れを促進させて浮腫を解消させ、足の疲労回復を早めるようにし、エコノミー症候群を始めとする医療用やスポーツ用に最適のものにすることができる。また、脚の形状に合わせた立体設計にすることが出来る。
【発明を実施するための最良の形態】
【００１５】
次に本発明の５本指ハイソックス等の編成方法を、以下図面に基づいて詳細に説明する。
【００１６】
図１は、本発明のハイソックスの一実施例を示す組織図、図２は、両面横編機の概略斜視図、図３は、糸供給装置の正面図、図４は、本発明のキャリッジの上方に配設されている転換レール上をキャリッジとともに往復動するガイドの斜視図、図５は弾性糸の編針に供給される迄の経過を示す斜視図、図６は弾性糸の送り出し量を変更する装置の斜視図、図７は弾性糸の送り出し量を変更するモータの斜視図、図８は、本発明の５本指ハイソックスの指先からの各部位における周長を示す概略図である。
【００１７】
図１に示すように、ハイソックス等は爪先部と踵部は表糸ＭＹと添え糸として裏糸ＢＹを添え糸編みをしている。それ以外の部位には表糸ＭＹに裏糸ＢＹを添え糸編みをし、挿通糸ＤＹを挿通している。表糸ＭＹには、例えば綿・アクリル繊維の混紡糸からなる双糸、裏糸ＢＹには、例えばポリウレタン弾性糸にポリエステル糸でカバリングしたフィラメント・ツィスト・ヤーン（ＦＴＹ）を使用する。弾性糸ＤＹには、例えばポリウレタン弾性糸を、ナイロン糸と同じくナイロン糸をダブルカバリングしたダブル・カバリング・ヤーン（ＤＣＹ）を使用して挿通する。
なお、本発明の編糸は、糸の種類や本数や番手に限定されることなく、各種の糸が使用できる。また、添え糸として裏糸ＢＹを用いないで表糸ＭＹと弾性糸で編成することも本実施例の範囲にある。
【００１８】
図２に示すように、本発明の両面横編機は、第１針床１と第２針床２が対設されており、編針、シンカーの動作を制御するキャリッジ３が第１針床１と第２針床２に跨って往復動自在に設けられている。４は編地編成のために、データを記憶して機械各部に指令を与えるコントローラであり、５はその入力液晶パネルである。６は糸供給装置であり、図３に示すように、地糸ＭＹと裏糸ＢＹとは、糸供給装置の糸ガイド７…，８…を通って、図４に示すように、キャリッジ３の上方に配設されている転換レール９，９上をキャリッジ３とともに往復動するガイド１１，１２，１３を経て編針Ｎに係合される。
【００１９】
弾性糸ＤＹは、図４、図５及び図６に示すように、糸架台１５に懸架されている弾性糸コーンＤＹＣから引き出され、一対の円錐形ローラ１６，１７に対する位置が可変である弾性糸供給側の可動ガイド１８を通り、円錐形ローラ１６，１７の間の接触面を通って弾性糸送り出し側の可動ガイド１９を経て、キャリッジ３の上方に配設されている転換レール９，９上をキャリッジ３とともに往復動するガイド１２から編針に供給される。なお、Ｓはシンカーである。
【００２０】
図６、図７に示すように、円錐形ローラ１６，１７は駆動側円錐形ローラ１６の上面に受動側円錐形ローラ１７が圧接するように支持されており、駆動側円錐形ローラ１６の軸２０はクレードル２１に取り付けられたプーリ２２，２３，２４の外周囲に巻回されたベルト２５により駆動されている。
【００２１】
図７に示すように、弾性糸供給側の可動ガイド１８と弾性糸送り出し側の可動ガイド１９はクレードル２６に取り付けられており、クレードル２６の支持部２７はステッピングモータ２８の回転軸２９に取り付けられている。
【００２２】
弾性糸ＤＣＹの送り出し量を変更するには、コントローラ４により編成作業を制御する指示を与える液晶パネル上の操作によりステッピングモータ２８に作動を指示し、これによりクレードル２６が傾動して弾性糸供給側の可動ガイド１８と弾性糸送り出し側の可動ガイド１９が円錐形ローラ１６，１７の小径側または大径側に移動する。可動ガイド１８と可動ガイド１９が円錐形ローラ１６，１７の小径側に移動すると弾性糸ＤＣＹの送り出し量は少なくなり、可動ガイド１８と可動ガイド１９が円錐形ローラ１６，１７の大径側に移動すると弾性糸ＤＣＹの送り出し量は多くなる。
【００２３】
また、編目を調節するには、液晶パネル５において、指先度目、指度目、足底度目、踵度目、脚下部度目、脚上部度目等を設定してコントローラ４により度目を調整することが出来る。
【００２４】
（実施例１）
本実施例の場合は、地糸ＭＹに綿１００％からなる３０番手双糸の綿糸、裏糸ＢＹに３０デニールのポリウレタン弾性糸に７５デニールのポリエステル糸でカバリングしたフィラメント・ツィスト・ヤーン（ＦＴＹ）を使用する。弾性糸ＤＹには、２６０デニールのポリウレタン弾性糸を、４０デニールのナイロン糸と同じく４０デニールのナイロン糸をダブルカバリングしたダブル・カバリング・ヤーン（ＤＣＹ）を使用して挿通する。
【００２５】
【表１】
2007039814.tif 000003
【００２６】
そして表１に示すように、一例として、５本指ハイソックスの指先からのコースにおける地糸ＭＹと裏糸ＢＹとの度目数とダブル・カバリング・ヤーン（ＤＣＹ）の指先からのコースにおける入力液晶パネル５のステップを設定し、図８に示すように、５本指ハイソックスの指先からの各部位Ａ，Ｂ，Ｃ，Ｄにおける靴下の解舒した糸長を測定した。その結果は表２に示す。
【００２７】
【表２】
2007039814.tif 000004
【００２８】
なお、被験者の足のサイズは２３．０ｃｍであり、各部位Ａ，Ｂ，Ｃ，Ｄにおける周長は２０．３，２４．５，３１．８，３２．４ｃｍであった。
本発明の着圧ハイソックスの解舒した糸長は、表２に示すように、測定され、着圧は、表３の試験品１に示す値になった。
この結果、本発明の着圧ハイソックスは、足形に合わせた形状にしており、上部は履きやすく、下部は締め付けるようになっている。
【００２９】
【表３】
2007039814.tif 000005
【００３０】
なお、着圧試験は、エイエムアイテクノ社製ＡＭＩ３０３７−２Ｂの計測機械で使用センサは直径２ｃｍの丸型エアバックを使用した。試験方法は、測定位置にセンサを取り付け、被験者が試験品を着用し、起立状態で１秒間隔に１分間測定し、１分間の平均値を採用する。測定箇所は図８に示すように、Ａは足首、Ｂは脹脛下、Ｃは脹脛、Ｄは口ゴム下である。測定単位はｈＰａである。
（実施例２）
【００３１】
更に、表４に示すように、５本指ハイソックスの指先からのコースにおける地糸ＭＹと裏糸ＢＹとの度目数とダブル・カバリング・ヤーン（ＤＣＹ）の指先からのコースにおける液晶パネル５のステップを設定し、図８に示すように、５本指ハイソックスの指先からの各部位Ａ，Ｂ，Ｃ，Ｄにおける靴下の解舒した糸長を測定した。その結果は表５に示す。
【００３２】
【表４】
2007039814.tif 000006
【００３３】
【表５】
2007039814.tif 000007
【００３４】
なお、被験者の足のサイズは、実施例１と同様に、２３．０ｃｍであり、各部位Ａ，Ｂ，Ｃ，Ｄにおける周長は２０．３，２４．５，３１．８，３２．４ｃｍであった。
【００３５】
本発明の着圧ハイソックスの解舒した糸長は、表５に示すように、測定され、着圧は、表３の試験品２に示す値になった。
表５に示すように、爪先部からのコースにしたがって度目を順次大きくすると共にダブル・カバリング・ヤーン（ＤＣＹ）の送り量を順次大きくしているので、表３の試験品２に示すように、５本指ハイソックスの指先からの各部位の周囲の変化を、各部位に応じて変更させているので、適宜の着圧により編成することができる。
【００３６】
（比較例）
実施例１と同様に、地糸ＭＹに綿１００％からなる３０番手双糸の綿糸、裏糸ＢＹに３０デニールのポリウレタン弾性糸に７５デニールのポリエステル糸でカバリングしたフィラメント・ツィスト・ヤーン（ＦＴＹ）を使用する。弾性糸ＤＹには、２６０デニールのポリウレタン弾性糸を、４０デニールのナイロン糸と同じく４０デニールのナイロン糸をダブルカバリングしたダブル・カバリング・ヤーン（ＤＣＹ）を使用して挿通する。
【００３７】
そして表１に示すように、５本指ハイソックスの指先からのコースにおける地糸ＭＹと裏糸ＢＹとの度目数を変更するが、ダブル・カバリング・ヤーン（ＤＣＹ）の指先からのコースにおける供給量を一定にして、図８に示すように、５本指ハイソックスの指先からの部位Ａは毎コース、部位Ｂは１コース毎、部位Ｃは３コース毎、部位Ｄは４コース毎に弾性糸を挿入した靴下を編成した。
【００３８】
なお、被験者の足のサイズは２３．０ｃｍであり、各部位Ａ，Ｂ，Ｃ，Ｄにおける周長は２０．０，２６．５，３２．８，３１．２ｃｍであった。
比較例の着圧は、表３の比較品に示す値になった。
即ち、実施例１，２に示すように、脚の上方から下方にしたがって着圧が小から大になる傾向はなく、着圧が脚の各部位においてランダムであった。
【図面の簡単な説明】
【００３９】
【図１】本発明のハイソックスの一実施例を示す組織図である。
【図２】本発明の両面針床編機の概略斜視図である。
【図３】糸供給装置の正面図である。
【図４】本発明のキャリッジの上方に配設されている転換レール上をキャリッジとともに往復動するガイドの斜視図である。
【図５】弾性糸の編針に供給されるまでの経過を示す斜視図である。
【図６】弾性糸の送り出し量を変更する装置の斜視図である。
【図７】弾性糸の送り出し量を変更するモータの斜視図である。
【図８】本発明の５本指ハイソックスの指先からの各部位における周長を示す概略図である。
【符号の説明】
【００４０】
１      第１針床
２        第２針床
３        キャリッジ
４        コントローラ
５        液晶パネル
６        糸供給装置
７        糸ガイド
８        糸ガイド
９        転換レール
１１      ガイド
１２      ガイド
１３      ガイド
１４      
１５      糸架台
１６      円錐形ローラ
１７      円錐形ローラ
１８      弾性糸供給側の可動ガイド
１９      弾性糸送り出し側の可動ガイド
２１      クレードル
２２，２３，２４  プーリ
２５   
ベルト
２６      クレードル
２７      支持部
２８      ステッピングモータ
２９      回転軸
ＭＹ      地糸
ＢＹ      裏糸
ＤＹ      弾性糸
ＤＹＣ   
弾性糸コーン
Ｎ        編針
Ｓ        シンカ
【図１】
2007039814.tif 000008
【図２】
2007039814.tif 000009
【図３】
2007039814.tif 000010
【図４】
2007039814.tif 000011
【図５】
2007039814.tif 000012
【図６】
2007039814.tif 000013
【図７】
2007039814.tif 000014
【図８】
2007039814.tif 000015